(57)【要約】【課題】パラソルを安定よく強固に支持でき、簡単な構成でありながら、分解組立が容易なパラソル支持装置を備えた農作業車を具現する。【解決手段】運転席（５）の前側に立設した操作ボックス（６）上にアーチ状の固定ハンドル杆（７）を突設し、該固定ハンドル杆（７）には運転席（５）の上方を覆うパラソル（１２）の支持具（１３）を挿入固定する取付ボス部（１４）を備えたパラソル取付ステー（１５）を支持する。また、パラソル（１２）は、取付ボス部（１４）に対して上下方向の縦軸芯（Ｙ）を回動支点として所定の旋回半径（Ｒ）を保って旋回することにより位置変更可能に構成する。【選択図】 図１
2010051230.tif 000002
【特許請求の範囲】
【請求項１】
運転席（５）の前側に立設した操作ボックス（６）上にアーチ状の固定ハンドル杆（７）を突設し、該固定ハンドル杆（７）には運転席（５）の上方を覆うパラソル（１２）の支持具（１３）を挿入固定する取付ボス部（１４）を備えたパラソル取付ステー（１５）を支持したことを特徴とする農作業車。
【請求項２】
前記パラソル（１２）は、取付ボス部（１４）に対して上下方向の縦軸芯（Ｙ）を回動支点として所定の旋回半径（Ｒ）を保って旋回することにより位置変更可能に構成したことを特徴とする請求項１記載の農作業車。
【発明の詳細な説明】
【技術分野】
【０００１】
この発明は、コンバインや田植機等の農作業車に関する。
【背景技術】
【０００２】
従来、例えば、特許文献１には、機台上に立設した操作ボックスの右側上側部にパラソル軸（柄）の中途部を支持する中間取付部材と、パラソル軸の下端部を機台側に嵌挿支持する下部取付部材とを設けてなるパラソル取付構造が開示されている。
【特許文献１】特開２００３−４７３２０号公報
【発明の開示】
【発明が解決しようとする課題】
【０００３】
上記従来構成のものでは、非常に長いパラソル軸を必要とし、上下２箇所の取り付けによらないと安定良く強固に支持できないものであり、分解組立にも手間を要する問題がある。
【０００４】
本発明の課題は、上記問題点を解消することを目的とする。
【課題を解決するための手段】
【０００５】
この発明は、上記課題を解決すべく次のような技術的手段を講じた。
すなわち、請求項１記載の本発明は、運転席（５）の前側に立設した操作ボックス（６）上にアーチ状の固定ハンドル杆（７）を突設し、該固定ハンドル杆（７）には運転席（５）の上方を覆うパラソル（１２）の支持具（１３）を挿入固定する取付ボス部（１４）を備えたパラソル取付ステー（１５）を支持したことを特徴とする農作業車とする。
【０００６】
強化された固定ハンドル杆（７）にパラソル取付ステー（１５）を取り付けるので、安定した強固な支持構成が得られる。取付ボス部（１４）にパラソル支持具（１３）を挿入固定するだけの簡単な構成でありながら、分解組立工数がかからず簡単に行うことができる。
【０００７】
請求項２記載の本発明は、前記パラソル（１２）は、取付ボス部（１４）に対して上下方向の縦軸芯（Ｙ）を回動支点として所定の旋回半径（Ｒ）を保って旋回することにより位置変更可能に構成したことを特徴とする請求項１記載の農作業車とする。
【０００８】
パラソル（１２）は、取付ボス部（１４）に対して上下方向の縦軸芯（Ｙ）回りに回動可能で、所定の旋回半径（Ｒ）を保って旋回することにより位置変更できるので、パラソルの左右前後位置を調節することができる。
【発明の効果】
【０００９】
請求項１記載の発明によれば、パラソル取付ステー（１５）を強固に保持された既存の固定ハンドル杆（７）に装着するので、パラソル（１２）を安定よく強固に保持することができ、取付ボス部（１４）にパラソル（１２）の支持具（１３）を挿入固定するだけの簡単な構成でありながら安価に実施でき、分解組立工数も従来のものに比べて半減し簡単に行うことができる。
【００１０】
請求項２記載の発明によれば、請求項１記載の発明の効果を奏するものでありながら、パラソル（１２）は、取付ボス部（１４）に対して上下方向の縦軸芯（Ｙ）回りに所定の旋回半径を保って旋回するので、パラソル（１２）の左右前後位置を大きく調節することができ、また、その位置調節は、取付位置を変更することなく、運転席（５）部から容易に行なうことができる。
【発明を実施するための最良の形態】
【００１１】
この発明の実施例を図面に基づき説明する。
図１及び図２は、農作業車の一例としてコンバインを示すものであり、この走行車体１には、左右一対の走行クローラ２，２を備え、後部に搭載した脱穀部（脱穀装置）３の前方部に刈取部４を設置し，刈取部４の横側部には運転席５やフロント操作ボックス６等からなる運転操作部を備え、更に、その運転操作部の後方には脱穀粒を一時的に貯留するグレンタンクＧを装備している。
【００１２】
フロント操作ボックス６上にはアーチ状の固定ハンドル杆７が突設され、操作ボックスに対して強固に保持されている。操作ボックス６の右側には、左右方向の操作で機体の進行方向を操向制御し、前後方向の操作で刈取部４を昇降制御するパワステレバー８が設置されている。なお、運転席左側のサイド操作ボックス９上には変速レバー１０等が配置されている。
【００１３】
前記固定ハンドル杆７には、パラソル１２を支持する支持具１３を挿入固定するための中空の取付ボス部１４を一体的に構成したパラソル取付ステー１５が取り付けられ前方に延出して設けられている。パラソル１３は、運転席に着座するオペレータの上方を覆う日除け或いは雨除けが可能な構成になっており、パラソル支持具１３が取付ボス部１４に挿通されて締付固定具１６により締付固定される。
【００１４】
パラソル支持具１３は、取付ボス部１４に挿通する鉛直方向の支持杆部１３ａと、横向き水平方向に折り曲げられたクランクアーム部１３ｂと、鉛直方向の軸筒部１３ｃ及びこれに挿通固定するパラソル軸部（柄）１３ｄとからなるように側面視でクランク状に構成されている。そして、パラソル支持具１３の支持杆部１３ａが取付ボス部１４に対して上下方向の縦軸芯Ｙ回りに回動固定自在に構成されている。従って、締付固定具１６を緩めてクランクアーム部１３ｂを縦軸芯Ｙ回りに旋回させれば、パラソル１２がクランクアーム部１３ｂの旋回半径Ｒの範囲内で左右前後に位置変更されることになる。また、支持杆部１３ａを取付ボス部１４に対して上下方向にスライド調節すれば、パラソルの高さ位置をオペレータの体格に応じて任意に調節することができる。また、パラソル１２は、クランクアーム部１３ｂの先端に設けた軸筒部１３ｃに対してもパラソル軸部１６ｄの上下動調節が締付固定具１６を介しての操作で行えるように構成している。
【００１５】
また、前記クランクアーム部１３ｂは、図３に示すように、旋回半径Ｒのアーム長さを伸縮調節できるように構成しておくと、日差しの方向に合ったパラソルの位置変更範囲が更に拡大することになる。
【００１６】
図４及び図５は、パラソルの構成を示し、パラソル１２の折畳み時、フォーク１９を伸縮移動させるスライダー１９よりパラソル軸１３ｄが短くなり、スライダー１９からパラソル軸が外れるように構成している。
【図面の簡単な説明】
【００１７】
【図１】コンバインの側面図
【図２】コンバインの正面図
【図３】パラソル支持装置の要部側面図
【図４】パラソル開時の側面図
【図５】パラソル閉時の側面図
【符号の説明】
【００１８】
５    運転席
６    フロント操作ボックス
７    固定ハンドル杆
１２    パラソル
１３    パラソル支持具
１４    取付ボス部
１５    パラソル取付ステー
【図１】
2010051230.tif 000003
【図２】
2010051230.tif 000004
【図３】
2010051230.tif 000005
【図４】
2010051230.tif 000006
【図５】
2010051230.tif 000007